(57)【要約】【課題】斜辺部材の下端部に簡単な滑落防止具を設置しておくことで組み立て作業者の人手を減らすことができる太陽光発電パネル用架台の滑落防止構造を提供することをその目的とする。【解決手段】太陽光発電パネル２０が載置される斜辺部材３０は傾斜した基台１０上に並設される。滑落防止部材６は斜辺部材３０の太陽光発電パネル載置面３１ｊの下端に設けられた凹部３１Ｕに装着され凹部収納部６ａと、該載置面３１ｊから突出するパネル係止部６ｂとで構成される。敷設された太陽光発電パネル２０は滑落防止部材６の凹部収納部６ａ上に載置される。【選択図】図６
2015032676.tif 000002
【特許請求の範囲】
【請求項１】
傾斜した基台上に所定間隔で並設され、その上に太陽光発電パネルが載置される斜辺部材と、
斜辺部材の太陽光発電パネル載置面の下端に設けられた凹部に装着され、該載置面からパネル係止部が突出し、太陽光発電パネルが係止する滑落防止部材とで構成され、
滑落防止部材の凹部収納部上に太陽光発電パネルが載置されるようになっていることを特徴とする太陽光発電パネル用架台のパネル滑落防止構造。
【発明の詳細な説明】
【技術分野】
【０００１】
本発明は組み立て時において、太陽光発電パネル用架台や屋根に設置される斜辺部材に設けられる滑落防止構造に関し、更に言えば、斜辺部材上に設置された太陽光発電パネルがワンタッチで脱落しないようにできる滑落防止構造に係る。
【背景技術】
【０００２】
建物の屋根面や基台に傾斜させて太陽光発電パネルを設置するには、複数の斜辺部材を傾斜させ所定間隔で屋根面や基台に並設し、多数の太陽光発電パネルをその上に載置し、ボルトのような締結部材で固定する必要がある（特許文献１）。
【先行技術文献】
【特許文献】
【０００３】
【特許文献１】特開２０１３−７７７７７号公報
【発明の概要】
【発明が解決しようとする課題】
【０００４】
斜辺部材は前述のように傾斜して設置されているため、滑落しないように作業者が斜辺部材の上に並べられたパネルを支え、他の作業者がボルト固定して行かねばならず、組み立てに人手がかかるという問題があった。大面積の発電システムでは、斜辺部材に固定されたパネルも縦横にきれいに整列しなければ外観が悪く、その点でも設置作業に気を配る必要があった。
【０００５】
本発明は前記課題を鑑みてなされたものであり、斜辺部材の下端部にワンタッチで着脱できる滑落防止具を設置しておくことで、組み立て作業者の人手を減らすことができ且つ外観もきれいに仕上げる事ができる太陽光発電パネル用架台の滑落防止構造を提供することをその目的とする。
【課題を解決するための手段】
【０００６】
請求項１に記載の発明は、傾斜した基台１０上に所定間隔で並設され、その上に太陽光発電パネル２０が載置される斜辺部材３０と、
斜辺部材３０の太陽光発電パネル載置面３１ｊの下端に設けられた凹部３１Ｕに装着され、該載置面３１ｊからパネル係止部６ｂが突出し、太陽光発電パネル２０が係止する滑落防止具６とで構成され、
滑落防止具６の凹部収納部６ａ上に太陽光発電パネル２０が載置されるようになっていることを特徴とする。
【発明の効果】
【０００７】
これによれば、斜辺部材３０の太陽光発電パネル載置面３１ｊの下端に設けられた凹部３１Ｕに滑落防止具６の凹部収納部６ａを挿入すると、パネル載置面３１ｊからパネル係止部６ｂが突出する。この状態でパネル載置面３１ｊに太陽光発電パネル２０を設置すると、その下端はパネル係止部６ｂに当接してそれ以上落下せず、しかもこの状態では滑落防止具６の凹部収納部６ａ上に太陽光発電パネル２０が載置されることになるので、滑落防止具６も凹部３１Ｕから脱落しない。すなわち、凹部３１Ｕに滑落防止具６の凹部収納部６ａを挿入するだけで何らの締結部材も用いることなく太陽光発電パネル２０の脱落を確実に防止することができることになる。また、凹部３１Ｕを斜辺部材３０の所定の位置に設けておけば、凹部３１Ｕに装着された滑落防止具６が太陽光発電パネル２０の下端基準ラインとなり、自動的に太陽光発電パネル２０が整列されつつ載置されることになり、きれいな外観を呈することになる。
【図面の簡単な説明】
【０００８】
【図１】本実施形態における太陽光発電パネルの設置状態の斜視図である。
【図２】図１に用いられる基台の斜視図である。
【図３】本発明に用いられる斜辺部材とパネルの設置状態の斜視図である。
【図４】本発明に用いられる斜辺部材の設置状態の拡大斜視図である。
【図５】本発明に用いられる斜辺部材への滑落防止具の装着前の斜視図である。
【図６】本発明に用いられる斜辺部材への滑落防止具の装着時の斜視図である。
【図７】本発明に用いられる他の斜辺部材への滑落防止具の装着時の斜視図である。
【図８】本発明に用いられる他の滑落防止具の装着時の斜視図である。
【発明を実施するための形態】
【０００９】
以下、本発明の実施形態について図面に沿って詳細に説明する。太陽光発電パネル２０は、照射された太陽光を電気に変換し、該太陽光発電パネル２０から引き出されたコードを介して外部に送電する設備であり、傾斜した基台１０上に並設された斜辺部材３０上に縦横に並べて設置され、引き出されたコードは斜辺部材３０に収納される。基台１０としては、屋根（図示せず）あるいは斜辺部材３０が傾斜して所定間隔で載置される上・下梁部材４，５以下の部分で構成される基台１０などが考えられる。基台１０としては斜辺部材３０が傾斜して所定間隔で載置できるものであればどのようなものでもよい。ここでは、図１，２に示すようなものである。以下、太陽光発電パネル用架台１を中心に説明する。
【００１０】
太陽光発電パネル用架台１は、基台１０と、この上に傾斜して所定間隔で載置される斜辺部材３０とで構成される。基台１０としては、例えば、並設された複数の背の高い水上側支持脚２と、水上側支持脚２より背の低い水下側支持脚３と、隣接する水上側支持脚２間に架設された上梁部材４と、隣接する水下側支持脚３間にそれぞれに架設された下梁部材５で構成したものがあげられる。水上側支持脚２及び水下側支持脚３は、基礎ブロック２ａ，３ａと、基礎ブロック２ａ，３ａ上に設けられた背の高い脚部２ｂ、背の低い取付プレート３ｂで構成されている。基礎ブロック２ａ，３ａ間の間隔Ｌを接離させることにより、基台１０の傾斜角度を適切な角度に設定することができる。
【００１１】
そして、図２に示すように、上梁部材４と下梁部材５に直交し且つ所定間隔で斜辺部材３０が傾斜して固定されている。斜辺部材３０の第１実施例は、図４に示すように、斜辺部材本体３１とカバー部材３２とで構成されている。斜辺部材本体３１は、アルミ押出材で構成され、平行した一対の縦片３１ｔと、縦片３１ｔの上縁間に設けられた載置面３１ｊと、下縁間に設けられた下面部３１ｋおよび下縁外面から外に延出されたＬ形の下リブ３１ｒとで構成され、載置面３１ｊ、下面部３１ｋには斜辺部材本体３１の全長にわたって係合溝３１ｍ，３１ｎが形成されている。係合溝３１ｍ，３１ｎを構成する溝側壁３１ｍ１の開口内縁にはそれぞれ係止リブ３１ｏ，３１ｐが全長にわたって突設されている。そして、載置面３１ｊの外縁から垂設された垂設片３１ｑの下端全長に軸部３１ｓが形成されている。Ｌ形の下リブ３１ｒの先端部分には上方に向かって縦片３１ｒ１が立設されている。
【００１２】
斜辺部材３０の第２実施例は、図７に示すように、耐候性鋼板を断面ハット型に折り曲げて形成されたもので、中央に係合溝３１ｍが全長に亘って形成され、係合溝３１ｍを構成する溝側壁３１ｍ１の上端から両外方に外鍔３１ｅが延出されている。外鍔３１ｅの上面がパネル載置面３１ｊとなる。
【００１３】
第１実施例の斜辺部材３０の下端部には、図５に示すような凹部３１Ｕが形成されている。該凹部３１Ｕの第１実施例は、係合溝３１ｍを跨って且つ係合溝３１ｍに直角に係止リブ３１ｏから溝側壁３１ｍ１の下端に至るまで切欠された幅狭の切り溝で構成されている。第２実施例の斜辺部材３０では、図７に示すように、凹部３１Ｕの第１実施例は、係合溝３１ｍを跨って且つ係合溝３１ｍに直角に溝側壁３１ｍ１から外鍔３１ｅの中央部分まで切欠された幅狭の切り溝で構成されている。溝側壁３１ｍ１の切り溝深さは溝側壁３１ｍ１の中央部分までである。
【００１４】
第１実施例の斜辺部材３０に用いられるカバー部材３２は樹脂材（勿論、アルミ押出材で形成してもよい。）で、水平片部３２ａと垂直片部３２ｂおよび水平片部３２ａと垂直片部３２ｂを繋ぐ円弧片部３２ｃとで構成されており、水平片部３２ａの先端に軸部３１ｓに外嵌して回動する関節部３２ｓが全長に亘って形成されている。垂直片部３２ｂの下端部内面には内方に延出された内鍔片３２ｄが全長に亘って設けられており、下リブ３１ｒの縦片３１ｒ１に係脱可能な係止片３２ｄ１が垂設されている。なお、内鍔片３２ｄの先端部分は全長に亘って下方に傾斜するように折曲されている。そして垂直片部３２ｂの下端部分に固定用の通孔３２ｂ１が所定間隔で形成されている。カバー部材３２は斜辺部材３０と同じ長さで、カバー部材３２の関節部３２ｓを軸部３１ｓに外嵌させ、この部分を丁番として回動可能とし、斜辺部材本体３１とカバー部材３２の少なくともいずれか一方に、電線挿通用空間３３に連通する開口３４を形成するようにしてもよいが、本実施例では、カバー部材３２の長さを例えば太陽光発電パネル２０に合わせた長さとし、電線挿通用空間３３に連通する開口３４となる隙間を設けて複数枚のカバー部材３２を斜辺部材本体３１に取り付けるようにしている。
【００１５】
滑落防止具６の第１実施例は、金属板材を折り曲げて形成されたもので、凹部収納部６ａとパネル係止部６ｂとで構成されている。凹部収納部６ａは係合溝３１ｍを越えて両側の前述の凹部３１Ｕに丁度嵌まり込む板厚と長さを有する垂直部分６ａ１、垂直部分６ａ１の中央から水平に折曲され、載置面３１ｊと面一で係止リブ３１ｏ間に嵌まり込む水平部分６ａ２とで構成され、パネル係止部６ｂが水平部分６ａ２の先端から上方に折曲されている。パネル係止部６ｂは滑落防止具６の凹部３１Ｕの装着時、載置面３１ｊより上方に突出し、その端面は斜辺部材３０の端面と面一となる。
【００１６】
このように形成された実施例１又は２の斜辺部材３０は、図２又は図７に示すように組み立てられた基台１０あるいは図示していない屋根に所定間隔で傾斜して設置される。そして、斜辺部材３０の下端部の凹部３１Ｕ（係止リブ３１ｏ又は外鍔３１ｅから溝側壁３１ｍ１に至る切り溝）に滑落防止具６の垂直部分６ａ１を嵌め込む。嵌め込まれた垂直部分６ａ１は図６のように係止リブ３１ｏ又は外鍔３１ｅ及び溝側壁３１ｍ１に形成された凹部３１Ｕに嵌まり込み垂直に保持される。そして、滑落防止具６のパネル係止部６ｂは斜辺部材３０の下端と面一になる。
【００１７】
このような状態で、パネル設置を行った作業者が次の固定作業に取り掛かることができ、このように用意された斜辺部材３０の上に縦横に太陽光発電パネル２０が配置される。この作業で最下段の太陽光発電パネル２０は滑落防止具６のパネル係止部６ｂに係合して保持される。そして、最下段の太陽光発電パネル２０は滑落防止具６の水平部分６ａ２上に位置するため、逆に滑落防止具６は最下段の太陽光発電パネル２０に上から押さえられて脱落しない。敷設された太陽光発電パネル２０は、滑落防止具６が基準となって自動的に整列するため、如何に大面積であろうと自動的に整然と敷設されて行き、手間をかけることなく優れた外観とすることができる。
【００１８】
敷設後、隣接した太陽光発電パネル２０は、両端に外鍔５１が突出された固定部材５０によって斜辺部材３０に固定される。太陽光発電パネル２０から引き出されたコードは必要に応じて作業者により開かれたカバー部材３２の開口３４から斜辺部材本体３１の側面３１ａの電線挿通用空間３３に挿入され、然る後、カバー部材３２を閉じて係止片３２ｄ１が縦片３１ｒ１に係合され、最後にカバー部材３２の通孔３２ｂ１に挿通した止めネジ６０で縦片３１ｒ１に固定する。該固定は係止片３２ｄ１の縦片３１ｒ１に対する係合が十分に固いものであれば止めネジ６０は必ずしも要しない。これによりコードは電線挿通用空間３３内に収納され、外部から保護されることになる。加えて、コードが外部に剥き出しにならず外観的にすっきりしたものとなる。
【００１９】
図８は滑落防止具６の他の実施例で、円形で太径の凹部収納部６ａと、凹部収納部６ａの中央に同心円で突設された円形で細径のパネル係止部６ｂとで構成される。この場合、凹部３１Ｕは係合溝３１ｍを挟む係止リブ３１ｏ及び溝側壁３１ｍ１を円形に切欠された穴で構成されることになり、円形の凹部収納部６ａが円形の凹部３１Ｕに挿入され、太陽光発電パネル２０が収納された凹部収納部６ａの上に位置して滑落防止具６の脱落を防止すると共にパネル係止部６ｂに太陽光発電パネル２０が係止されてその滑落が阻止される。図８の形態は図示していないが図７の場合にも適用される。
【符号の説明】
【００２０】
１：太陽光発電パネル用架台，２：水上側支持脚，２ａ：基礎ブロック，２ｂ：脚部，３：水下側支持脚，３ａ：基礎ブロック，３ｂ：取付プレート，４：上梁部材，５：下梁部材，６：滑落防止具，６ａ：凹部収納部，６ａ１：垂直部分，６ａ２：水平部分，６ｂ：パネル係止部，１０：基台，２０：太陽光発電パネル，３０：斜辺部材，３１：斜辺部材本体，３１ａ：側面，３１ｅ：外鍔，３１ｊ：載置面，３１ｋ：下面部，３１ｍ，３１ｎ：係合溝，３１ｍ１：溝側壁，３１ｏ，３１ｐ:係止リブ，３１ｑ：垂設片，３１ｒ：下リブ，３１ｒ１：縦片，３１ｓ：軸部，３１ｔ：縦片，３１Ｕ：凹部，３２：カバー部材，３２ａ：水平片部，３２ｂ：垂直片部，３２ｂ１：通孔，３２ｃ：円弧片部，３２ｄ：内鍔片，３２ｄ１：係止片，３２ｓ：関節部，３３：電線挿通用空間，３４：開口，５０：固定部材，５１：外鍔，６０：止めネジ，Ｌ：間隔。
【図１】
2015032676.tif 000003
【図２】
2015032676.tif 000004
【図３】
2015032676.tif 000005
【図４】
2015032676.tif 000006
【図５】
2015032676.tif 000007
【図６】
2015032676.tif 000008
【図７】
2015032676.tif 000009
【図８】
2015032676.tif 000010